(57)【要約】【課題】  美容師等の鋏の使用者が、自ら、閉じ角を調整することができる鋏を提供する。【解決手段】本発明の鋏１は、一対の鋏片４ａ，４ｂ間で軸芯の位置を相対的に変化させる軸位置調整手段を具備し、この軸位置調整手段は、枢着部において一方の鋏片４ａに穿設された長孔２０と、他方の鋏片４ｂに穿設された円形孔と、円形孔より径の小さな円柱部、円柱部の端部に形成され長孔に嵌挿された状態で長孔の内側面に当接して長手方向に摺動可能な角柱部１５を備える軸芯と、角柱部１５に設けられた軸ネジ孔部１６と、これに螺合可能な軸ネジと、長孔２０の短手方向の一対の内側面に設けられた止めネジ孔部と、これらに夫々挿通され、その螺進及び螺退により角柱部１５の位置を調整可能な一対の止めネジとを備える。【選択図】      図３
2006271836.tif 000002
【特許請求の範囲】
【請求項１】
夫々刃部及び持部を有する一対の鋏片と、
前記刃部と前記持部との間に位置し、一対の前記鋏片を軸芯周りに回動可能に互いに枢着する枢着部と、
一対の前記鋏片の前記刃部が物を切断する任意の切断位置において一方の前記刃部が他方の前記刃部と形成する閉じ角を、変化させて調整可能とする閉じ角調整手段と
を具備することを特徴とする鋏。
【請求項２】
前記閉じ角調整手段は、
前記枢着部において一方の前記鋏片における前記軸芯の位置を、他方の前記鋏片に対して相対的に変化させる軸位置調整手段である
ことを特徴とする請求項１に記載の鋏。
【請求項３】
前記軸位置調整手段は、
前記枢着部において一方の前記鋏片に穿設され、長手方向を前記鋏片の刃幅方向と一致させた長孔と、
前記枢着部において他方の前記鋏片に穿設された円形孔と、
該円形孔より径の小さな断面を有する円柱部、該円柱部の端部を前記円形孔より広径に拡径した軸芯端部、前記円柱部のもう一方の端部に形成され前記長孔に嵌挿された状態で前記長孔の内側面に当接して前記長手方向に摺動可能な角柱部、該角柱部に設けられた軸ネジ孔部、を備える軸芯と、
前記軸芯の前記軸ネジ孔部に螺合可能な軸ネジと、
前記長孔の短手方向の一対の内側面から、夫々前記鋏片を貫通して設けられた一対の止めネジ孔部と、
一対の該止めネジ孔部に夫々螺合可能に挿通され、その螺進及び螺退により前記長孔に嵌挿された前記角柱部の前記長孔における位置を調整可能な一対の止めネジと
を具備することを特徴とする請求項２に記載の鋏。
【発明の詳細な説明】
【技術分野】
【０００１】
本発明は、理髪店や美容院等で使用される理美容用の鋏に関するものである。
【背景技術】
【０００２】
従来より、理髪店や美容院等で鋏を使用して髪をカットする際、いわゆる「髪が逃げる」現象への対処が問題となっていた。この「髪が逃げる」現象とは、一対の鋏刃から加えられた力により、髪が刃先方向に移動する現象である。ここで、髪が逃げようとする力は、一対の鋏刃が髪を切断する位置において、一方の鋏刃と他方の鋏刃によって形成される角度「閉じ角」によって変化し、この閉じ角が大きい程大きくなる。すなわち、刃元近くで髪を切断する場合に髪はより逃げやすく、刃先近くでは、髪は一対の刃に挟み込まれた状態となり、逃げにくくなる。
【０００３】
従って、櫛で髪を抑えたり、鋏を使用していない方の手指で髪を挟み込むことにより、髪を逃げにくくしたとしても、一回の切断操作で切断された髪において、刃元付近で切断された髪と刃先付近で切断された髪とでは長さが不揃いになりやすい。そのため、髪を同じ長さにそろえるために、一回の操作で切断する幅を小さくし、鋏を激しく動かして同じ位置を何度も切ったり、髪を逃がしにくくするために髪を濡らして髪同士を接着させてカットすることが行われている。また、髪を逃がしにくい鋏の改良も行われている。
【０００４】
ところが、髪を逃がさずに一様な長さに切り揃えた髪は、直線的で硬い印象を与えることから、最近では、自然な仕上がりの柔らかいイメージの髪型を要望する顧客も多い。そこで、髪の長さをわずかに変化させて毛先のラインをぼかし柔らかな仕上がりとしたり、動きや軽さを表現するために、敢えて髪の長さを不規則なものとするシャギーやレイヤー等の技法によるカットが行われている。また、髪が乾いた状態で、髪を逃がしやすくしてカットすることも行われている。その他、刃幅をアールを付けて変化させた刃（笹刃）を使用し、刃幅が刃元から刃先にかけて直線的に減少する従来の鋏に比べて閉じ角を大きくした鋏も使用されている。
【０００５】
上記の技術は、当業者においては当然のごとく知られているものであり、本出願人は、本願出願時において、上記の技術が記載されている文献を知見していない。
【発明の開示】
【発明が解決しようとする課題】
【０００６】
しかしながら、従来の鋏では、美容師等の鋏の使用者自身が行うことのできる調整は、枢着部のネジの締付け具合を変化させ、「ため」の力（一対の鋏刃の接触圧力）を調整する程度に限定された。すなわち、鋏の使用者が閉じ角を自分で調整することはできなかった。そのため、目的とする髪形に合わせて、髪の逃げやすさを能動的に変化させ、毛先の処理に微妙な変化をつけることは困難であった。
【０００７】
また、同じ閉じ角でも、刃の摩耗により刃が髪を捕えにくくなるため髪が逃げやすくなる。そのため、ある程度髪を逃がしやすいように設計された鋏も、鋏の使用による刃の摩耗に伴って仕上がりが異なって来てしまう問題があった。
【０００８】
そこで、本発明は上記の実情に鑑み、美容師等の鋏の使用者が、自ら、閉じ角を変化させ調整することができる鋏の提供を課題とするものである。
【課題を解決するための手段】
【０００９】
本発明に係る鋏は、「夫々刃部及び持部を有する一対の鋏片と、前記刃部と前記持部との間に位置し、一対の前記鋏片を軸芯周りに回動可能に互いに枢着する枢着部と、一対の前記鋏片の前記刃部が物を切断する任意の切断位置において一方の前記刃部が他方の前記刃部と形成する閉じ角を、変化させて調整可能とする閉じ角調整手段と」を主に具備して構成されている。
【００１０】
ここで、閉じ角調整手段は、枢着部において一方の鋏片における軸芯の位置を他方の鋏片に対して相対的に変化させるものを例示することができる。また、少なくとも一方の鋏片において刃部を持部と別体に形成し、両者が当接して一部重なり合う部分において一方を他方にネジ等により取付け、その取付け角度を可変とする機構（例えば、ネジと長孔との組合わせ等）を備えることにより、閉じ角を調整可能とするものを例示することもできる。
【００１１】
従って、本発明によれば、閉じ角調整手段を具備することにより、美容師等の鋏の使用者自身が、閉じ角を変化させることが可能となる。これにより、髪の逃げやすさを能動的に変化させて調整し、多様な髪型を表現することが容易となる。
【００１２】
また、鋏の使用により刃部が摩耗した場合、閉じ角を微調整することにより、髪の逃げやすさについての所望の設定を維持することが可能となる。
【００１３】
さらに、本発明に係る鋏は、「前記閉じ角調整手段は、前記枢着部において一方の前記鋏片における前記軸芯の位置を、他方の前記鋏片に対して相対的に変化させる軸位置調整手段である」ものとすることもできる。
【００１４】
ここで、軸位置調整手段は、一方の鋏片において軸芯の位置を固定し、他方の鋏片に対して軸芯位置を可変とするものであり、例えば、一方の鋏片において枢着部に複数の孔部を穿設し、そのいずれかに軸芯を挿通し、その軸芯をネジ等で係止するものが例示される。これにより、軸芯を挿通した孔の位置を中心として一対の鋏片が回動することとなり、設けた孔部の位置及び数に応じて閉じ角を変化させることが可能となる。このとき、軸芯の位置が固定されている方の鋏片において、軸芯は鋏片に挿通され、その挿通孔において回転する軸芯が一対の鋏片の回動中心となるものとすることもでき、また、軸芯自体は鋏片に固着され、軸芯に挿通されるネジ等に回動中心となる部分が設けられるものとすることもできる。
【００１５】
また、上記の複数の孔部の間に連通孔を設け、いずれかの孔部に嵌挿された軸芯をその連通孔に沿って他の孔部に案内することとしてもよい。これにより、軸芯を係止するネジ等を取り外すことなく、軸位置を他の孔部に移動させることが可能となる。
【００１６】
さらに、一方の鋏片において枢着部に長い孔部を穿設し、この孔部に嵌挿させた軸芯を任意の位置で係止可能なものとすることにより、軸位置を調整可能としたものも例示できる。これにより、孔部の長さに対応した範囲内で、閉じ角を連続的に変化させ、任意の閉じ角を設定することが可能となる。ここで、長い孔部の形状は特に限定されず、長方形、長円形、湾曲したもの等が例示される。また、孔部を設ける方向も、鋏片の刃幅方向の成分を有すれば特に限定されないが、閉じ角の変化を大きくするためには、孔部の長手方向を刃幅方向と一致させることが効果的である。
【００１７】
なお、孔部において軸芯位置を係止する手段としては、軸芯に螺合させるネジに、孔部の幅より広幅の頭部を有するネジを使用し、鋏片と軸芯とを締め付けて固定するもの、軸芯に螺合させるネジによる押さえの力が加わる面積をワッシャや板バネ等を介在させて孔部の幅より広くした上で固定するもの、孔部の内側面に配した止めネジ等で軸芯を固定するもの等を例示することができる。
【００１８】
従って、本発明によれば、軸位置調整手段を具備することにより、枢着部において一方の鋏片における軸芯の位置を、他方の鋏片に対して相対的に変化させることができる。これにより、鋏の使用者が閉じ角を調整することが可能となる。
【００１９】
加えて、本発明に係る鋏は、「前記軸位置調整手段は、前記枢着部において一方の前記鋏片に穿設され、長手方向を前記鋏片の刃幅方向と一致させた長孔と、前記枢着部において他方の前記鋏片に穿設された円形孔と、該円形孔より径の小さな断面を有する円柱部、該円柱部の端部を前記円形孔より広径に拡径した軸芯端部、前記円柱部のもう一方の端部に形成され前記長孔に嵌挿された状態で前記長孔の内側面に当接して前記長手方向に摺動可能な角柱部、該角柱部に設けられた軸ネジ孔部を備える軸芯と、前記軸芯の前記軸ネジ孔部に螺合可能な軸ネジと、前記長孔の短手方向の一対の内側面から、夫々前記鋏片を貫通して設けられた一対の止めネジ孔部と、一対の該止めネジ孔部に夫々螺合可能に挿通され、その螺進及び螺退により前記長孔に嵌挿された前記角柱部の前記長孔における位置を調整可能な一対の止めネジと」を具備する構成とすることもできる。
【００２０】
ここで、軸芯の円柱部は、一方の鋏片の枢着部において穿設された円形孔よりその断面径が小さいため、この円形孔に挿通される。そして、円形孔の径より広径に形成された軸芯端部により、それ以上の侵入が防止される。これにより、軸芯は、円形孔に挿通された状態でこの円柱部において回転可能となり、一対の鋏片を回動自在とする回動中心となる。
【００２１】
また、軸芯の角柱部は、もう一方の鋏片に穿設された長孔に嵌挿された状態で長孔の内側面に当接してその長手方向に摺動可能とされるため、一対の側面の長さは長孔の短手方向の長さと略同一とされる。そして、もう一対の側面の長さは長孔の長手方向の長さより短く、その差が大きいほど軸芯位置を可変とする範囲が大きくなる。
【００２２】
さらに、長孔は、その長手方向が鋏片の刃幅方向と一致している。ここで、長孔の形状は、その内側面に軸芯の角柱部を当接させ摺動させるため、長手方向の一対の内側面が平行であれば特に限定されず、矩形や端部を円形に湾曲させて形成された形状が例示される。
【００２３】
また、軸ネジは角柱部に設けらた軸ネジ孔部と螺合することにより、一方の鋏片にその円柱部を挿通し、他方の鋏片の長孔にその角柱部に嵌挿させた軸芯を係止し、一対の鋏片を互いに枢着させる。ここで、軸ネジの種類は特に限定されないが、ネジのヘッド部が鋏片から大きく突出することがなく、髪が引掛かったり絡まったりしにくい形状であることが望ましい。
【００２４】
さらに、止めネジ孔部は、長孔の短手方向の一対の内側面に設けられ、夫々刃幅方向に鋏片を貫通している。これにより、止めネジ孔部に挿通した止めネジを、枢着部において鋏片の外部の側面から調整することが可能となる。
【００２５】
また、止めネジは、拡径した頭部を有しない棒状又は筒状のピン型ネジを使用することができる。一般的に、先端の形状には、平先、棒先、丸先、尖り先等があるが、角柱部の側面に当接してその位置を調整するため、平面との当接状態が安定する平先や棒先ものが好適である。ここで、止めネジの螺進及び螺退は、棒状の止めネジの頭部のすり割部分をドライバーで回して行ったり、筒状の止めネジの六角孔を六角レンチで回して行うこともできる。また、止めネジの先端に竜頭を取付けて鋏片の外部に延出させ、その竜頭を回すことにより止めネジを螺進及び螺退させるものとすれば、鋏の使用者が工具を使用することなく、軸位置の調整、すなわち閉じ角の調整を行うことができる。
【００２６】
なお、角柱部の位置の固定は、かかる止めネジを使用しなくとも、角柱部の軸ネジ孔部と螺合する軸ネジにより、軸芯と鋏片を締付けて係止することによっても可能ではあるが、軸ネジとは別個の止めネジを使用することにより、軸ネジを外さなくても軸芯の位置を調整することが可能となる。また、軸ネジは軸芯位置の調整とは無関係となるため、軸ネジにより枢着部の締付け具合の調整をすることも可能となる。
【００２７】
従って、本発明によれば、一方の鋏片に穿設された円形孔に挿通させた軸芯に形成された角柱部を、他方の鋏片に穿設された長孔に嵌挿させ、長孔にそって摺動させることにより、一対の鋏片の間で軸芯の位置を相対的に変化させることができる。これにより閉じ角を変化させ調整することが可能となる。また、長孔は長手方向を鋏片の刃幅方向と一致させて形成されているため、軸芯位置の変化により効果的に閉じ角が変化する。
【００２８】
さらに、長孔における角柱部の位置は、一対の止めネジの螺進及び螺退により任意の位置で固定することができるため、角柱部が長孔において摺動可能な長さに相応する範囲内で、閉じ角を連続的に変化させて任意の閉じ角を設定し、また、微調整することが可能となる。
【００２９】
加えて、長孔における角柱部の位置の調整を、止めネジを使用して行うため、軸ネジを外すことなく軸位置を変化させ、閉じ角を調整することが可能となる。
【発明の効果】
【００３０】
以上のように、本発明の鋏によれば、美容師等の鋏の使用者が、自ら、閉じ角を変化させ調整することが可能となる。
【発明を実施するための最良の形態】
【００３１】
以下、本発明の実施するための最良の一実施形態である鋏について、図１乃至図４に基づき説明する。図１（ａ）は本発明の鋏の一例を示す全体図であり、図１（ｂ）は要部を拡大して示す拡大図であり、図２は図１の鋏の分解斜視図であり、図３及び図４は図１の鋏の軸芯の位置の変化に対応した閉じ角の変化を示す説明図である。
【００３２】
本実施形態の鋏１は、夫々刃部２ａ，２ｂ及び持部３ａ，３ｂを有する一対の鋏片４ａ，４ｂと、刃部２ａ，２ｂと持部３ａ，３ｂとの間に位置し、一対の鋏片４ａ，４ｂを軸芯１１周りに互いに回動可能に枢着する枢着部５とを主に具備して構成されている。
【００３３】
そして、枢着部５において一方の鋏片４ａに穿設され、長手方向を鋏片４ａの刃幅方向と一致させた矩形の長孔２０と、枢着部５において他方の鋏片４ｂに穿設された円形孔１０と、軸芯１１と、軸芯１１に螺合可能な軸ネジ３０と、長孔２０の内側面に設けられた一対の止めネジ孔部２１ａ，２１ｂと、これらの止めネジ孔部２１ａ，２１ｂに螺合可能な一対の止めネジ２２ａ，２２ｂとにより、本発明における閉じ角調整手段（軸位置調整手段）が構成されている。
【００３４】
更に詳しく説明すると、軸芯１１は、円柱部１２、円柱部１２の端部に設けられた軸芯端部１３、円柱部１２のもう一方の端部に形成された角柱部１５、角柱部１５に設けられた軸ネジ孔部１６を具備している。
【００３５】
ここで、軸芯１１の円柱部１２は、その断面径が鋏片４ｂの枢着部５において穿設された円形孔１０より小さいものとされ、円形孔１０に挿通可能である。そして、円形孔１０の径より広径に形成された軸芯端部１３により、それ以上の侵入が防止される。これにより、軸芯１１は、この円柱部１２において回転可能となり、一対の鋏片４ａ，４ｂを回動自在とする回動中心となる。
【００３６】
また、長孔２０は、その長手方向が鋏片４ａの刃幅方向と一致する矩形に形成されている。そして、軸芯１１の角柱部１５は、その一対の側面の長さは長孔２０の短手方向の長さと略同一とされ、もう一対の側面の長さは長孔２０の長手方向の長さより短いものとされている。これにより、軸芯１１の角柱部１５は長孔２０に嵌挿された状態で、その側面を長孔２０の内側面に当接して長手方向に摺動可能となる。
【００３７】
また、本実施例では、軸芯１１の円柱部１２の直径と角柱部１５の対角線の長さは略同一とされ、円柱部１２及び角柱部１５の高さは、夫々鋏片４ａ，４ｂの厚さよりも小さく設定されている。そのため、軸芯１１を一対の鋏片４ａ，４ｂに取付けた状態で、角柱部１５側の端部が鋏片４ａから突出することがない。これにより、軸ネジ３０を角柱部１５に設けられた軸ネジ孔１６に螺合させた状態で、軸ネジ３０の頭部と鋏片４ａとの間に余分な隙間を生じることがなく、枢着部５のがたつきを防止することができる。
【００３８】
次に、軸ネジ３０は、半球を平たくした形状のヘッド部を有する小ネジで、角柱部１５に設けらた軸ネジ孔部１６と螺合する。これにより、鋏片４ｂの円形孔１０にその円柱部１２を挿通し、他方の鋏片４ａの長孔２０にその角柱部１５に嵌挿させたを軸芯１１を係止し、一対の鋏片４ａ，４ｂを互いに枢着させる。
【００３９】
また、止めネジは、一対の六角孔付き止めネジ２２ａ，２２ｂが使用され、これに螺合する止めネジ孔部２１ａ，２１ｂは、長孔２０の短手方向の一対の内側面の夫々の略中央に設けられている。これにより、止めネジ２２ａ，２２ｂを夫々止めネジ孔部２１ａ，２１ｂに挿通し、一方を螺進させ他方を螺退させることにより、長孔２０に嵌挿された角柱部１５の位置を調整し固定することができる。そして、止めネジ孔部２１ａ，２１ｂは夫々刃幅方向に鋏片４ａを貫通しているため、枢着部５において、鋏片４ａの外部の側面から止めネジ２２ａ，２２ｂを調整することが可能となる。このとき、止めネジ２２ａ，２２ｂの外側の先端に竜頭を取付けて鋏片４ａの外部に延出させ、鋏の使用者が工具を使用することなく、その竜頭を回すことにより軸位置の調整、すなわち閉じ角の調整を行うものとすることができる。
【００４０】
次に、本実施形態の鋏１における軸位置の調整方法、すなわち、閉じ角の調整方法について説明する。まず、図１（ｂ）に示すように、軸芯１１の角柱部１５の中心を長孔２０の中心Ｃに位置させて固定すれば、軸芯１１がいずれの鋏片４ａ，４ｂにおいても中央にあり、通常の鋏と同様の状態で使用することができる。なお、図１（ｂ）では、長孔２０内での角柱部１５の位置を明示するため、軸ネジ３０を省略して図示している。
【００４１】
そして、図３に示すように、閉じ角を大きくしたいとき、すなわち、髪をより逃がしやすくして切断したい場合は、軸芯１１の角柱部１５を長孔２０において鋏を使用する手の親指側の側面２０ａに向かって摺動させる。このとき、角柱部１５が側面２０ａに当接したとき、軸位置はＡとなり、閉じ角が最大となる。ここで、図３においては、軸が長孔２０の中央Ｃに位置する場合の鋏片４ａを二点鎖線で示し、軸が中央Ｃにある場合と、軸位置をＡに変化させた場合とで、一対の鋏片４ａ，４ｂが噛合う状態を、鋏片４ｂ側の位置を任意の位置Ｘに固定して比較し、軸の位置をＣからＡに移動させたことにより閉じ角がθから拡大した様子を図示している。なお、図３では、角柱部１５の位置を明示するため、軸ネジ３０を省略して図示している。
【００４２】
更に、図４に示すように、閉じ角を小さくしたいとき、すなわち、髪を逃がさずに切断したい場合は、軸芯１１の角柱部１５を長孔２０において鋏を使用する手の小指側の側面２０ｂに向かって摺動させる。このとき、角柱部１５が側面２０ｂに当接したとき、軸位置はＢとなり、閉じ角が最小となる。ここで、図４においては、図３と同様に、軸が長孔２０の中央Ｃに位置する場合の鋏片４ａを二点鎖線で示し、軸が中央Ｃにある場合と、軸位置をＢに変化させた場合とで、一対の鋏片４ａ，４ｂが噛合う状態を、鋏片４ｂ側の位置を位置Ｘに固定して比較し、軸の位置をＣからＢに移動させたことにより、閉じ角がθから減少した様子を図示している。なお、図４においても、軸ネジ３０を省略して図示している。
【００４３】
以上のように、鋏片４ａの刃部２ａの任意の位置Ｘにおいて、閉じ角が最大値及び最小値となる場合を示したが、止めネジ２２ａ，２２ｂによる軸芯１１位置の微調整により、この範囲内で任意の閉じ角を設定することが可能となる。
【００４４】
また、鋏の使用者が上記のように閉じ角を調整し、髪の逃がしやすさの設定を所望のものとしても、刃部が摩耗すると刃が髪を捕えにくくなり、同じ閉じ角でも髪が逃げ易くなってしまう。この場合は、上記の同様の操作により閉じ角を微調整することにより、髪の逃げやすさについての所望の設定を維持することができる。
【００４５】
なお、本実施形態では、刃部２ａ，２ｂとして、刃幅をアールを付けて変化させた刃（笹刃）を使用しているが、刃幅が刃元から刃先にかけて直線的に減少する通常の鋏においても、上記と同様に、軸位置の変化により閉じ角を変化させることができる。
【００４６】
以上のように、本実施形態の鋏１によれば、一方の鋏片に穿設された円形孔１０に挿通させた軸芯１１に形成された角柱部１５を、他方の鋏片に穿設された長孔２０に嵌挿させ、長孔２０にそって摺動させることにより、一対の鋏片４ａ，４ｂの間で軸芯１１の位置を相対的に変化させることができる。これにより、閉じ角を変化させ調整することが可能となる。また、長孔２０は長手方向を鋏片の刃幅方向と一致させて形成されているため、軸芯１１の位置の変化により効果的に閉じ角が変化する。
【００４７】
さらに、長孔２０における角柱部１５の位置は、一対の止めネジ２２ａ，２２ｂの螺進及び螺退により任意の位置で固定することができるため、角柱部１５の摺動可能な長さに相応する範囲内で閉じ角を連続的に変化させ、微調整することが可能となる。
【００４８】
これにより、美容師等の鋏の使用者が、鋏の閉じ角を自ら変化させることができ、髪を逃がし難くして切断することも、敢えて髪を逃がし易くして切断することも可能となる。そして、閉じ角を微調整しながら所望の設定として鋏を使用することにより、毛先の処理を微妙に変化させた多様な髪形を表現することが可能となる。
【００４９】
加えて、鋏の使用により刃が摩耗した場合においても、鋏の使用者が自ら閉じ角を調整し、髪の逃げ易さについての所望の設定を維持することが可能となる。
【００５０】
以上、本発明について好適な実施形態を挙げて説明したが、本発明はこの実施形態に限定されるものではなく、以下に示すように、本発明の趣旨を逸脱しない範囲において、種々の改良及び設計の変更が可能である。
【００５１】
例えば、本実施例では、円形孔は動刃に穿設され、長孔は静刃に穿設された場合を示したが、これに限定されず逆の関係であってもよく、静刃において軸芯を固定し、動刃に対して軸芯の位置を変化させるものとすることもできる。
【００５２】
また、本実施形態では、長孔は矩形形状とされているが、長手方向の一対の内側面が平行であればこの形状に限定されず、例えば、端部が円形に湾曲したものとすることもできる。
【００５３】
更に、円柱部の径と角柱部の対角線の長さとの関係、及び両者の高さと鋏片の厚さの関係は、本実施例のものに限定されず、円柱部及び角柱部が共に円形孔に挿通でき、軸芯の角柱部側の端部が長孔を設けた鋏片から突出しない範囲で設定可能である。例えば、円柱部の径に比べて角柱部が小さく形成され、これに対応して長孔の短手方向の長さを短いものとしてもよく、また、円柱部の高さを鋏片の厚さよりも大きなものとし、角柱部と共に長孔に嵌挿されるものとすることもできる。
【図面の簡単な説明】
【００５４】
【図１】（ａ）は本発明の鋏の一例を示す全体図であり、（ｂ）は要部を拡大して示す拡大図である。
【図２】図１の鋏の分解斜視図である。
【図３】図１の鋏の軸芯の位置の変化に対応した閉じ角の変化を示す説明図である。
【図４】図１の鋏の軸芯の位置の変化に対応した閉じ角の変化を示す説明図である。
【符号の説明】
【００５５】
１  鋏
２ａ，２ｂ  刃部
３ａ，３ｂ  持部
４ａ，４ｂ  鋏片
５  枢着部
１０  円形孔
１１  軸芯
１２  円柱部
１３  軸芯端部
１５  角柱部
１６  軸ネジ孔部
２０  長孔
２１ａ，２１ｂ  止めネジ孔部
２２ａ，２２ｂ  止めネジ
３０  軸ネジ
【図１】
2006271836.tif 000003
【図２】
2006271836.tif 000004
【図３】
2006271836.tif 000005
【図４】
2006271836.tif 000006